(57)【特許請求の範囲】
【請求項１】
ケースをそなえ、プランジャ移動部内にプランジャを移動可能に収容したボビンと、上記ボビンに巻回してあるとともに、電源供給用外部配線の接続部に接続される接続部を介して励磁電流が供給されることにより上記プランジャを吸引移動させるソレノイドコイルと、上記プランジャに当接可能に配置され、プランジャと一体的に移動する可動接点と、上記可動接点の移動により電気的に接続される第１の固定接点および第２の固定接点とを、それぞれ上記ケースの内側に配置するとともに、上記第１の固定接点に接続した第１の外部ターミナルと、第２の固定接点に接続した第２の外部ターミナルと、上記ソレノイドコイルに電源を供給する上記電源供給用外部配線の接続部に接続される上記ソレノイドコイルの接続部とを、それぞれ上記ケースの外側に配置し、更に、上記ケースに、上記電源供給用外部配線が配設される側と上方がそれぞれ開口した絶縁剤用凹部を形成し、上記絶縁剤用凹部に入れた絶縁剤により上記電源供給用外部配線の接続部と上記ソレノイドコイルの接続部を埋設してなることを特徴とする電磁スイッチ。
【請求項２】
上記ケースはアッパーケースとロワ−ケースとから構成され、該アッパーケースには天井板が一体に設けられているとともに、この天井板上のほぼ中央部分から矩形状に突出した外部ターミナル取付け部が一体に設けられ、上記絶縁剤用凹部は、上記天井板上の第１の面と、上記外部ターミナル取り付け部の端部にこの第１の面に対してほぼ直角に配置された第２の面と、該第１の面と該第２の面の両側に形成され、アッパーケースと一体の第１の側板、第２の側板とにより形成されたことを特徴とする請求項１に記載の電磁スイッチ。
【発明の詳細な説明】
【０００１】
【産業上の利用分野】
この発明は、励磁電流によってソレノイドコイルを励磁させることにより外部回路を導通の状態や遮断の状態とするのに利用される電磁スイッチに関する。
【０００２】
【従来の技術】
励磁電流によってソレノイドコイルを励磁させることにより外部回路を導通の状態や遮断の状態とする電磁スイッチとしては、ソレノイドコイルに励磁電流を供給すると、ソレノイドコイルによって発生する磁力によってプランジャが吸引移動し、このプランジャの移動によって可動接点が２個の固定接点に離間状態から接続されるため、固定接点に夫々電気的に接続した外部回路を導通の状態とするものが知られている。ソレノイドコイルに対する励磁電流の供給を中止すると、プランジャは可動接点を固定接点から離間させる側に戻り移動するため、外部回路は遮断の状態となる。励磁電流はケースの外側に配置したコイルターミナルに半田付けした電源供給用外部配線から供給され、コイルターミナルはケースの一部に設けられ、四方に壁を備えた有底角穴の底部に配置されており、角穴内で電源供給用外部配線に対する半田付けを行ってから、この角穴内に絶縁剤を入れることによってコイルターミナルと電源供給用外部配線との接続部分を絶縁する。このような電磁スイッチはエンジンの始動回路内に組込まれ、イグニションキースイッチがスタート位置にある間、スタータモータに対する電流供給を行う。
【０００３】
【発明が解決しようとする課題】
上記した従来の電磁スイッチでは、コイルターミナルがケースの一部に設けられ、四方に壁を備えた有底角穴の底部に配置されていて、角穴の奥の方で電源供給用外部配線に対する接続を行っておかないと、接続部分を絶縁することができず、それによって、比較的小さい角穴内での半田付けが面倒であり、接続を容易に行えず、半田付けの際に角穴の側部を損傷しないとも言い難く、作業性を良好にする構造とすることが望まれていた。
【０００４】
【発明の目的】
この発明に係わる電磁スイッチは、ソレノイドコイルに対する電源供給用外部配線の接続を極めて容易に且つ確実に行うことができる電磁スイッチを提供することを目的としている。
【０００５】
【発明の構成】
【０００６】
【課題を解決するための手段】
この発明の請求項１に係わる電磁スイッチは、ケースをそなえ、プランジャ移動部内にプランジャを移動可能に収容したボビンと、ボビンに巻回してあるとともに、電源供給用外部配線の接続部に接続される接続部を介して励磁電流が供給されることにより上記プランジャを吸引移動させるソレノイドコイルと、上記プランジャに当接可能に配置され、プランジャと一体的に移動する可動接点と、上記可動接点の移動により電気的に接続される第１の固定接点および第２の固定接点とを、それぞれ上記ケースの内側に配置するとともに、上記第１の固定接点に接続した第１の外部ターミナルと、第２の固定接点に接続した第２の外部ターミナルと、上記ソレノイドコイルに電源を供給する上記電源供給用外部配線の接続部に接続される上記ソレノイドコイルの接続部とを、それぞれ上記ケースの外側に配置し、更に、上記ケースに、上記電源供給用外部配線が配設される側と上方がそれぞれ開口した絶縁剤用凹部を形成し、上記絶縁剤用凹部に入れた絶縁剤により上記電源供給用外部配線の接続部と上記ソレノイドコイルの接続部を埋設してなる構成としたことを特徴としている。
【０００７】
この発明の請求項２に係わる電磁スイッチでは、上記ケースはアッパーケースとロワ−ケースとから構成され、該アッパーケースには天井板が一体に設けられているとともに、この天井板上のほぼ中央部分から矩形状に突出した外部ターミナル取り付け部が一体に設けられ、上記絶縁剤用凹部は、上記天井板上の第１の面と、上記外部ターミナル取付け部の端部にこの第１の面に対してほぼ直角に配置された第２の面と、該第１の面と該第２の面の両側に形成され、アッパーケースと一体の第１の側板、第２の側板とにより形成されたこととしている。
【０００８】
【発明の作用】
この発明の請求項１に係わる電磁スイッチにおいて、ソレノイドコイルの接続部と電源供給用外部配線の接続部は、電源供給用外部配線が配設される側と上方のみを開口した絶縁剤用凹部によって囲まれている。それ故、ソレノイドコイルの接続部と電源供給用外部配線の接続部との接続は、絶縁剤用凹部によって囲まれていない側、即ち電源供給用外部配線が配設される側から行われ、電気的な接続をしてから、絶縁剤用凹部に絶縁剤が入れられる。
【０００９】
この発明の請求項２に係わる電磁スイッチにおいて、ソレノイドコイルの接続部と電源供給用外部配線の接続部は、アッパーケースと一体の天井板上の第１の面と、天井板上のほぼ中央部分から矩形状に突出した外部ターミナル取付け部の端部にこの第１の面に対してほぼ直角に配置された第２の面と、該第１の面と該第２の面の両側に形成され、アッパーケースと一体の第１の側板、第２の側板とにより形成された絶縁剤用凹部によって囲まれている。このため、絶縁剤用凹部は、電源供給用外部配線が配設される側と上方のみが開口した構造となる。それ故、ソレノイドコイルの接続部と電源供給用外部配線の接続部との接続は、絶縁剤用凹部によって囲まれていない側、即ち電源供給用外部配線が配設される側から行われ、電気的な接続をしてから、絶縁剤用凹部に絶縁剤が入れられる。
【００１０】
【実施例】
図１ないし図３には、この発明に係わる電磁スイッチの実施例が示されている。
【００１１】
図示する電磁スイッチ１は、主として、ケース２、ボビン３、第１のコイルターミナル４、第２のコイルターミナル５、ソレノイドコイル６、プランジャ７、コア８、可動接点９、第１の固定接点１０、第２の固定接点１１、第１の外部ターミナル１２、第２の外部ターミナル１３から構成されている。
【００１２】
ケース２はアッパーケース２ａとロワーケース２ｂとから構成されており、アッパーケース２ａには筒形状をなす本体２ａ１の上部に天井板２ａ２が一体に設けられているとともに、この天井板２ａ２上のほぼ中央部分から矩形状に突出した外部ターミナル取付け部２ａ３が一体に設けられており、外部ターミナル取付け部２ａ３の中央部分に形成された突板２ａ４の両側に六角の角孔２ａ５、２ａ６が形成されているため、上記角孔２ａ５、２ａ６に第１の外部ターミナル１２、第２の外部ターミナル１３が挿入されている。
【００１３】
また、アッパーケース２ａの本体２ａ１には、天井板２ａ２の上面２ａ７に対してほぼ直角に配置された前方側板２ａ８、後方側板２ａ９、右方側板（図示しない。）、左方側板２ａ１１が夫々設けられており、上記前方側板２ａ８と外部ターミナル取付け部２ａ３とのあいだに絶縁剤用凹部２ａ１２が形成されている。
【００１４】
上記絶縁剤用凹部２ａ１２は、天井板２ａ２上で上記前方側板２ａ８側に位置する第１の面２ａ１３と、外部ターミナル取付け部２ａ３の端部に上記第１の面２ａ１３に対するほぼ直角に配置された第２の面２ａ１４と、第１の面２ａ１３と第２の面２ａ１４との両側に形成された第１の側板２ａ１５、第２の側板２ａ１６とにより形成されている。
【００１５】
第１の側板２ａ１５は第１の面２ａ１３および第２の面２ａ１４の右方側板側に配置され、第２の側板２ａ１６は第１の面２ａ１３および第２の面２ａ１４の左方側板２ａ１１側に配置され、両側板２ａ１５、２ａ１６は上記両面２ａ１３、２ａ１４を囲むものとして外部ターミナル取付け部２ａ３の端部と上記天井板２ａ２の前方側板２ａ８側とのあいだで夫々直角三角形の板状に形成されており、絶縁剤用凹部２ａ１２は、電源供給用外部配線１４、１５が配設される側と該絶縁剤用凹部２ａ１２の上方のみ開口されている。
【００１６】
そして、上記第１の面２ａ１３には天井板２ａ２の内側から外側に連通したものとして第１のターミナル孔２ａ１７、第２のターミナル孔２ａ１８が夫々形成されているため、上記第１のターミナル孔２ａ１７によって、後述する第１のコイルターミナル４を突出状態で支持し、上記第２のターミナル孔２ａ１８によって後述する第２のコイルターミナル５を突出状態で支持する。
【００１７】
ロワーケース２ｂは前方側板２ａ８、後方側板２ａ９、右方側板、左方側板２ａ１１の下端に固定されており、ロワーケース２ｂが固定された本体２ａ１の内側にボビン３、第１のコイルターミナル４、第２のコイルターミナル５、ソレノイドコイル６、プランジャ７、コア８、可動接点９、第１の固定接点１０、第２の固定接点１１が収容されている。
【００１８】
ボビン３は樹脂によって成形されており、中央に丸孔状をなすプランジャ移動部３ａが形成されているため、上記プランジャ移動部３ａ内に丸棒状をなす磁性体製のプランジャ７が移動可能に収容されている。
また、ボビン３にはフランジ３ｂ、３ｃが設けられており、上記両フランジ３ｂ、３ｃのあいだにエナメル線を巻回したソレノイドコイル６が設けられている。
【００１９】
ソレノイドコイル６のエナメル線の端部は接続部の一部を構成するリード部６ａ、６ｂになっており、上記リード部６ａ、６ｂのうちの一方のリード部６ａは一方のフランジ３ｂの外縁部分に圧入によって取付けられた後述する第１のコイルターミナル４に備えた電源供給用外部配線止着部４ｂに電気的に接続されていて、他方のリード部６ｂは上記第１のコイルターミナル４から離れたフランジ３ｂの外縁部分に圧入によって取付けられた第２のコイルターミナル５に備えた電源供給用外部配線止着部５ｂに電気的に接続されている。上記接続部の他の一部は上記第１のコイルターミナル４、第２のコイルターミナル５によって構成されている。
【００２０】
第１のコイルターミナル４は、基端側に設けられたボビン取付け部４ａの先端側に二又状をなすものとして形成された電源供給用外部配線止着部４ｂが設けられ、第２のコイルターミナル５も基端側に設けられたボビン取付け部５ａの先端側に二又状をなすものとして形成された電源供給用外部配線止着部５ｂが設けられており、第１のコイルターミナル４はケース２の内側から上記第１のターミナル孔２ａ１７に挿入され、第２のコイルターミナル５もケース２の内側から上記第２のターミナル孔２ａ１８に挿入されているため、上記両コイルターミナル４、５は絶縁剤用凹部２ａ１２内に電源供給用外部配線止着部４ｂ、５ｂを夫々突出して上記第１の面２ａ１３に支持されている。
【００２１】
上記両コイルターミナル４、５は絶縁剤用凹部２ａ１２内に電源供給用外部配線止着部４ｂ、５ｂを夫々突出するため、上記電源供給用外部配線止着部４ｂ、５ｂにより電源供給用外部配線１４、１５の接続部１４ａ、１５ａを夫々挟み込むことによって仮止めしてから、電源供給用外部配線止着部４ｂ、５ｂに上記接続部１４ａ、１５ａを半田付けによって電気的に接続する機能を有する。上記両コイルターミナル４、５の電源供給用外部配線止着部４ｂ、５ｂは上記第１の面２ａ１３上にわずかな寸法を有するため、絶縁剤用凹部２ａ１２の開方側に突出していない。
【００２２】
両コイルターミナル４、５の電源供給用外部配線止着部４ｂ、５ｂに対する電源供給用外部配線１４、１５の接続は、ケース２上の第１の面２ａ１３、第２の面２ａ１４、第１の側板２ａ１５、第２の側板２ａ１６によって囲まれていな側から行うので、接続する際のスペースは大きく設定されている。
【００２３】
そして、両コイルターミナル４、５の電源供給用外部配線止着部４ｂ、５ｂに対する電源供給用外部配線１４、１５の接続部１４ａ、１５ａの接続を行った絶縁剤用凹部２ａ１２内に絶縁剤２０が塗布されている。絶縁剤２０は、図３に示すように、ケース２の前方側板２ａ８を上にして、後方側板２ａ９を角度θ（傾斜辺が水平となる角度であるほぼ４５度）傾けることによって、絶縁剤用凹部２ａ１２の開放側を上方に向け、この状態で、上記絶縁剤用凹部２ａ１２内に流し込むことにより、絶縁剤用凹部２ａ１２から流れ出さずに両コイルターミナル４、５の電源供給用外部配線止着部４ｂ、５ｂと電源供給用外部配線１４、１５の接続部１４ａ、１５ａとの外側を絶縁する。絶縁剤２０としてはエポキシ系の接着剤が好ましい。
【００２４】
第１のコイルターミナル４はソレノイドコイル６の一方のリード部６ａに接続され、第２のコイルターミナル５はソレノイドコイル６の他方のリード部６ｂに接続されているため、第１のコイルターミナル４から第２のコイルターミナル５に電流が流れことによってソレノイドコイル６は励磁し、ソレノイドコイル６より発生した磁力がボビン３の外側に配置した断面略Ｕ字状の第１のコア８ａと第１のコア８ａの上側に固定された第２のコア８ｂとからなるコア８を通って流れるため上記プランジャ７を図２中の下方に吸引する。プランジャ７は戻しばね１６を介してプランジャ移動部３ａ内に収容されているため、ソレノイドコイル６が消磁されると、プランジャ７は戻しばね１６の弾性反発力により図２中の上方に向けて自動的に戻り移動する。上記プランジャ７の上方には第１の固定接点１０、第２の固定接点１１が配置されている。
【００２５】
第１の固定接点１０は、ケース２に備えた外部ターミナル取付け部２ａ３の角孔２ａ５にオーリング１７を介して挿入されている第１の外部ターミナル１２に加締めによって固定され、第２の固定接点１１は、外部ターミナル取付け部２ａ３の角孔２ａ６にオーリング１８を介して挿入されている第２の外部ターミナル１３に加締めによって固定されており、第１の固定接点１０と第２の固定接点１１とは中間部分に予め定めたギャップを介して配置されている。上記ギャップ内には後述する可動接点９に備えた軸部９ａが配置される。
【００２６】
上記可動接点９は中央に備えた軸部９ａがプランジャ７の上端に当接しており、軸部９ａの外周側に円盤形状をなすものとして形成された導通部９ｂが上記第１の固定接点１０、第２の固定接点１１の上方側に配置されているため、ソレノイドコイル６が消磁していると、ケース２の天井板２ａ２側に配置した戻しばね１９の弾性反発力により導通部９ｂが両固定接点１０、１１から離れて両固定接点１０、１１を遮断の状態とし、ソレノイドコイル６が励磁されることによって上記戻しばね１９に抗して吸引されると、導通部９ｂが両固定接点１０、１１に接触して両固定接点１０、１１を導通の状態とする。
【００２７】
このような構造をなす電磁スイッチ１は、第１の外部ターミナル１２、第２の外部ターミナル１３をエンジンの始動回路内に電気的に接続し、電源供給用外部配線１４、１５はイグニションキースイッチを介して電源に接続されるため、上記イグニションキースイッチがオン位置からスタート位置に切換えられることによって、電源供給用外部配線１４、１５を介し第１のコイルターミナル４から第２のコイルターミナル５に電流が流れると、ソレノイドコイル６が励磁してプランジャ７を吸引し、プランジャ７が吸引されることによって可動接点９も移動して導通部９ｂが第１の固定接点１０、第２の固定接点１１に接続して両固定接点１０、１１を導通の状態とするため、第１の外部ターミナル１２と第２の外部ターミナル１３とを導通の状態として始動回路のスタータモータに電流を供給する。
【００２８】
また、イグニションキースイッチがスタート位置からオン位置に戻されると、電源供給用外部配線１４、１５より電流が流れなくなるため、ソレノイドコイル６は消磁してプランジャ７を吸引しなくなり、可動接点９は戻り移動して導通部９ｂが第１の固定接点１０、第２の固定接点１１から離れるので、第１の固定接点１０、第２の固定接点１１を遮断の状態として第１の外部ターミナル１２と第２の外部ターミナル１３とを遮断の状態とし、スタータモータに対する電流の供給を中止するものとなる。
【００２９】
このような使用に際し、電源供給用外部配線１４、１５の接続部１４ａ、１５ａと両コイルターミナル４、５の電源供給用外部配線止着部４ｂ、５ｂは、絶縁剤用凹部２ａ１２内に埋設された状態で、絶縁剤２０によって絶縁されているため、ケース２に水滴等がかかったとしても、錆等による通電不良の原因を起こすことはないものとなる。
【００３０】
【発明の効果】
以上説明してきたように、この発明の請求項１に係わる電磁スイッチによれば、ソレノイドコイルの接続部と電源供給用外部配線の接続部は、電源供給用外部配線が配設される側と上方のみを開口した絶縁剤用凹部によって囲まれ、ソレノイドコイルの接続部と電源供給用外部配線の接続部との接続は、絶縁剤用凹部によって囲まれていない側、即ち電源供給用外部配線が配設される側から行われ、電気的な接続をしてから、絶縁剤用凹部に絶縁剤が入れられる。それ故、ソレノイドコイルと電源供給用外部配線の接続にスペース面の自由度が付与され、それによって、ソレノイドコイルに対する電源供給用外部配線の接続を極めて容易に且つ確実に行うことができるという優れた効果を奏する。この発明の請求項２に係わる電磁スイッチによれば、ソレノイドコイルの接続部と電源供給用外部配線の接続部は、アッパーケースと一体の天井板上の第１の面と、天井板上のほぼ中央部分から矩形状に突出した外部ターミナル取付け部の端部にこの第１の面に対してほぼ直角に配置された第２の面と、該第１の面と該第２の面の両側に形成され、アッパーケースと一体の第１の側板、第２の側板とにより形成された絶縁剤用凹部によって囲まれている。このため、絶縁剤用凹部は、電源供給用外部配線が配設される側と上方のみが開口した構造となり、ソレノイドコイルの接続部と電源供給用外部配線の接続部との接続は、絶縁剤用凹部によって囲まれていない側、即ち電源供給用外部配線が配設される側から行われ、電気的な接続をしてから、絶縁剤用凹部に絶縁剤が入れられる。それ故、ソレノイドコイルと電源供給用外部配線の接続にスペース面の自由度が付与され、それによって、ソレノイドコイルに対する電源供給用外部配線の接続を極めて容易に且つ確実に行うことができるという優れた効果を奏する。
【図面の簡単な説明】
【図１】この発明に係わる電磁スイッチの一実施例の外観斜視図である。
【図２】図１に示した電磁スイッチにおいての各部品の組付け関係を説明する外観斜視図である。
【図３】図１に示した電磁スイッチにおいての絶縁剤を流し込む際の一部縦断側面図である。
【符号の説明】
１        電磁スイッチ
２        ケース
２ａ      アッパーケース
２ｂ      ロワーケース
２ａ２    天井板
２ａ３    外部ターミナル取付け部
２ａ１２  絶縁剤用凹部
２ａ１３  第１の面
２ａ１４  第２の面
２ａ１５  第１の側板
２ａ１６  第２の側板
３        ボビン
３ａ      プランジャ移動部
４        （接続部）コイルターミナル（第１のコイルターミナル）
４ｂ      電源供給用外部配線止着部
５        （接続部）コイルターミナル（第２のコイルターミナル）
５ｂ      電源供給用外部配線止着部
６        ソレノイドコイル
７        プランジャ
９        可動接点
１０      第１の固定接点
１１      第２の固定接点
１２      第１の外部ターミナル
１３      第２の外部ターミナル
１４      電源供給用外部配線
１４ａ    接続部
１５      電源供給用外部配線
１５ａ    接続部
２０      絶縁剤
【図１】
0003819051.tif 000002
【図２】
0003819051.tif 000003
【図３】
0003819051.tif 000004